(57)【要約】【目的】  再生時のリンク接続において生じ得る不都合を解消することができるディジタル放送受信装置を提供する。【構成】  ＣＰＵ２０９は、現表示映像がメモリカード３から読み出したパーシャルＴＳに基づく再生番組映像であることを認識しており、この再生番組映像上でリンク操作がなされたとき、ＣＰＵ２０９は、リンク情報に基づくサーバ接続処理の開始に先立って、「接続しますか」及び「ＹＥＳ  ＮＯ」のボタンから成る接続実行確認表示、及び再生番組の記録日時（ＯＮエア日時）の表示を行う。ＣＰＵ２０９は、ユーザによるボタン操作を監視し、「ＹＥＳ」のボタン操作を検出したときに、リンク情報に基づくサーバ接続処理を実行する。【選択図】      図２
2005123933.tif 000002
【特許請求の範囲】
【請求項１】
ディジタル放送波を受信して画面に映像を表示する放送受信装置において、受信したディジタル放送波から取り出したデータを記録すると共に再生指令を受けるとデータ再生を行って画面に映像を表示する記録再生手段と、データ放送データによる表示画像上でリンク操作がなされたときにリンク情報に基づいて接続処理を行う通信手段と、前記記録再生手段にて再生されたデータ放送データによる表示画像上でリンク操作がなされたときに、接続できない場合があること及び／又は接続が行えたとしても得られる情報がＯＮエア時点の情報と異なる場合があることをユーザに認識させ得るメッセージを画面表示するメッセージ表示手段と、を備えたことを特徴とするディジタル放送受信装置。
【請求項２】
ディジタル放送波を受信して画面に映像を表示する放送受信装置において、受信したディジタル放送波から取り出したデータを記録すると共に再生指令を受けるとデータ再生を行って画面に映像を表示する記録再生手段と、データ放送データによる表示画像上でリンク操作がなされたときにリンク情報に基づいて接続処理を行う通信手段と、前記記録再生手段にて再生されたデータ放送データによる表示画像上でリンク操作がなされたときに、前記接続処理の開始に先立って接続実行を確認する画面表示を行うと共に、接続実行を示す操作がなされたときに、前記通信手段による接続処理を実行させる制御手段と、を備えたことを特徴とするディジタル放送受信装置。
【請求項３】
ディジタル放送波を受信して画面に映像を表示する放送受信装置において、受信したディジタル放送波から取り出したデータを記録すると共に再生指令を受けるとデータ再生を行って画面に映像を表示する記録再生手段と、データ放送データによる表示画像上でリンク操作がなされたときにリンク情報に基づいて接続処理を行う通信手段と、前記記録再生手段にて再生されたデータ放送データによる表示画像上でリンク操作がなされ、前記接続処理の結果がエラーとなった場合に、その旨を画面表示すると共に現在視聴番組が録画番組であることをユーザに認識させ得るメッセージを画面表示するメッセージ表示手段と、を備えたことを特徴とするディジタル放送受信装置。
【発明の詳細な説明】
【技術分野】
【０００１】
この発明は、ディジタル放送を受信するディジタル放送受信装置に関する。
【背景技術】
【０００２】
ディジタル放送システムにおいては、放送局側で番組に関する情報等を映像や音声に付加して圧縮し、例えばＭＰＥＧ（Ｍｏｖｉｎｇ  Ｐｉｃｔｕｒｅ  Ｅｘｐｅｒｔｓ  Ｇｒｏｕｐ）によって多重化したトランスポートストリームをディジタル変調して送信している。そして、受信装置の側では、受信したディジタル変調信号を復調してトランスポートストリームを生成し、これを映像・音声、その他の情報に分離し解析することによりユーザに番組等を提示する。
【０００３】
また、受信したディジタル放送波から取り出したデータを記録すると共に再生指令を受けるとデータ再生を行って画面に映像を表示する録画再生機能を備えたものも知られている（特許文献１、特許文献２参照）。
【特許文献１】特開２００３−９０７６号公報
【特許文献２】特開２００３−２８３９９９号公報
【発明の開示】
【発明が解決しようとする課題】
【０００４】
ところで、ディジタル放送にはデータ放送（テレビ連動型、独立データ番組）があり、これを受信する受信装置においては、例えば、図５（ａ）に示すように、動画プレーンに静止画プレーン（「番組へのご意見」「おすすめ情報」等）を重ねて表示する処理を行う。前記の「おすすめ情報」等の表示にはリンク情報（ＵＲＬ等）が埋め込まれており、ユーザによってリンク操作がなされると、図５（ｂ）のごとく、「接続中」の画面表示を行うと共にサーバへの接続処理が実行される。そして、受信した例えばＨＴＭＬファイルが受信装置のブラウザによって開かれ、図５（ｃ）のごとく、画面表示がなされる。
【０００５】
そして、記録媒体に記録したデータ放送データを再生するときにも、上記の図５（ａ）に示した画面が表示され、ユーザはリンク操作を行うことができるが、ＯＮエア時点から日にちがだいぶ経過したデータ放送を再生している場合などでこの再生時には既にサーバ上の情報が削除されているとすると、エラー表示がなされることになり、ユーザは受信装置の不具合であると誤った判断をしてしまうおそれがある。また、天気予報などは、サーバ上に情報が存在していても、再生番組のＯＮエア時点のものとは異なっている可能性がある。
【０００６】
この発明は、上記事情に鑑み、再生時のリンク接続において生じ得る不都合を解消することができるディジタル放送受信装置を提供することを目的とする。
【課題を解決するための手段】
【０００７】
この発明のディジタル放送受信装置は、上記の課題を解決するために、ディジタル放送波を受信して画面に映像を表示する放送受信装置において、受信したディジタル放送波から取り出したデータを記録すると共に再生指令を受けるとデータ再生を行って画面に映像を表示する記録再生手段と、データ放送データによる表示画像上でリンク操作がなされたときにリンク情報に基づいて接続処理を行う通信手段と、前記記録再生手段にて再生されたデータ放送データによる表示画像上でリンク操作がなされたときに、接続できない場合があること及び／又は接続が行えたとしても得られる情報がＯＮエア時点の情報と異なる場合があることをユーザに認識させ得るメッセージを画面表示するメッセージ表示手段と、を備えたことを特徴とする。
【０００８】
また、この発明のディジタル放送受信装置は、ディジタル放送波を受信して画面に映像を表示する放送受信装置において、受信したディジタル放送波から取り出したデータを記録すると共に再生指令を受けるとデータ再生を行って画面に映像を表示する記録再生手段と、データ放送データによる表示画像上でリンク操作がなされたときにリンク情報に基づいて接続処理を行う通信手段と、前記記録再生手段にて再生されたデータ放送データによる表示画像上でリンク操作がなされたときに、前記接続処理の開始に先立って接続実行を確認する画面表示を行うと共に、接続実行を示す操作がなされたときに、前記通信手段による接続処理を実行させる制御手段と、を備えたことを特徴とする。
【０００９】
また、この発明のディジタル放送受信装置は、ディジタル放送波を受信して画面に映像を表示する放送受信装置において、受信したディジタル放送波から取り出したデータを記録すると共に再生指令を受けるとデータ再生を行って画面に映像を表示する記録再生手段と、データ放送データによる表示画像上でリンク操作がなされたときにリンク情報に基づいて接続処理を行う通信手段と、前記記録再生手段にて再生されたデータ放送データによる表示画像上でリンク操作がなされ、前記接続処理の結果がエラーとなった場合に、その旨を画面表示すると共に現在視聴番組が録画番組であることをユーザに認識させ得るメッセージを画面表示するメッセージ表示手段と、を備えたことを特徴とする。
【００１０】
これら構成のディジタル放送受信装置であれば、所定内容のメッセージが表示されることにより、再生時のリンク接続において生じ得る不都合が解消されることになる。
【発明の効果】
【００１１】
以上説明したように、この発明によれば、所定内容のメッセージ表示によって再生時のリンク接続において生じ得る不都合が解消される。例えば、リンクエラーが生じても、ユーザは装置故障ではなく再生番組上でのリンクゆえに生じたものであると認識できるという効果を奏する。
【発明を実施するための最良の形態】
【００１２】
以下、この発明の実施形態を図１乃至図４に基づいて説明する。
【００１３】
図１はこの実施形態の携帯型受信端末の外観を示した斜視図であり、図２は携帯型受信端末のブロック図である。
【００１４】
携帯型受信端末２は、図１に示しているように、例えば携帯電話型の形状を有しており、図２に示すごとく、電池２２１により駆動される。この携帯型受信端末２は、地上波ディジタルチューナ２３０による放送受信により得られた符号化映像・音声データ、或いは、スロット２０１に差し込まれたメモリカード３等から読み出した符号化映像・音声データ（パーシャルトランスポートストリームを含む）により、映像を液晶表示パネル２０２上に映し出すとともに、音声をイヤホン２０３から出力するようになっている。なお，この実施形態では符号化映像データはＭＰＥＧ４データで音声データはＭＰＥＧ２−ＡＡＣデータであるとする。
【００１５】
メモリカード３から読み出したＭＰＥＧ４データは、ＰＣＭＣＩＡインターフェイス２２０、及びシステムバス２１３を経てＭＰＥＧ４ビデオデコーダ２０４に供給される。また、地上ディジタル放送を受信するチューナ２３０は、この地上ディジタル放送で放送されるＭＰＥＧ４のビットストリームデータを取り出し、ＭＰＥＧ４ビデオデコーダ２０４やオーディオデコーダ（ＭＰＥＧ２−ＡＡＣ）２０６に与える。
【００１６】
ＭＰＥＧ４ビデオデコーダ２０４は、ＭＰＥＧ４のビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５はＣＰＵ２０９から出力指示された文字等（操作ボタン、メニュー画面、地上ディジタル放送から取得した番組情報によるＥＰＧ画面、電子メールの内容である文字等等）を液晶表示パネル２０２に表示するＯＳＤ（オンスクリーンディスプレイ）処理も行う。オーディオデコーダ２０６は、ビットストリーム中の音声符号データを復号して音声データを生成する。ＳＤＲＡＭ２１０は、ＭＰＥＧ４ビデオデコーダ２０４の上記処理において利用される。
【００１７】
ＬＣＤコントローラ２０７は、グラフィックスコントローラ２０５から供給された映像データに基づいて液晶表示パネル２０２を駆動する。また、Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してイヤホン２０３に与える。
【００１８】
本体キー２１４は視聴に関する操作ボタン（記録、再生、ポーズ、ストップ、送り）やテンキー等である。この本体キー２１４に対する操作情報は、インターフェイス２１５、及びシステムバス２１３を介してＣＰＵ２０９に与えられる。ＣＰＵ２０９は上記操作情報に基づいて必要な処理を実行する。
【００１９】
また、近距離無線ネットワークを可能にするために、通信ブロック（無線ＬＡＮブロック等）２１６及びインターフェイス２１７が設けられている。更に、ＦｌａｓｈＲＯＭ２１８やＳＤＲＡＭ２１９も備える。後述するメッセージを表示するためのデータは例えばＦｌａｓｈＲＯＭ２１８に格納されている。電池２２１は二次電池であり、図示しない充電器から電力の供給を得てこれを蓄える。携帯電話部２３１は通常の電話のために用いることとしている。
【００２０】
ＣＰＵ２０９は、無線ネットワークのための処理、スロット２０１にＰＨＳデータカード４によるデータ送受信（インターネット接続処理、電子メール送受信など）、受信データに基づく各機能部の制御、ＦｌａｓｈＲＯＭ２１８やＳＤＲＡＭ２１９のリード／ライト制御なども行うようになっている。
【００２１】
また、グラフィックスコントローラ２０５は、放送受信映像の画面サイズを縮小する処理（スケーリング処理）を行うことができ、この画面サイズ変更による画面余部にデータ放送部分やメッセージが表示されるように、サイズ変更画面（動画プレーン）の生成及び静止画プレーンの生成を行う。また、グラフィックスコントローラ２０５は、放送受信映像上にウィンドを表示し、このウィンド内にメッセージを表示する処理を行うこともできる。
【００２２】
本体キー２１４に設けた録画キーの押下信号、或いは、メニュー画面上からの録画指令を受けたＣＰＵ２０９は、受信中の番組のパーシャルトランスポートストリーム（パーシャルＴＳ）をメモリカード３（或いは、外部記録媒体）に記録する処理を実行する。このとき、内部カレンダ機能による現在日時情報、或いは放送波から受信した現在日時情報を録画番組に対応付けて記録する処理を行う。また、本体キー２１４に設けた再生キーの押下信号、或いは、メニュー画面上からの再生指令を受けたＣＰＵ２０９は、メモリカード３（或いは、外部記録媒体）から読み出したパーシャルＴＳをバス２１３を介してＭＰＥＧ４ビデオデコーダ２０４に供給し、ＬＣＤパネル２０２上に映像を再生表示する。
【００２３】
再生番組にデータ放送番組が含まれていれば、再生映像上には、従来項の図５に示したごとく、「おすすめ情報」等が表示され、この「おすすめ情報」等にはリンク情報（ＵＲＬ等）が埋め込まれており、ユーザによってリンク操作がなされるとＣＰＵ２０９はサーバへの接続処理を実行することになる。ここで、ＣＰＵ２０９は、現表示映像がメモリカード３等から読み出したパーシャルＴＳに基づく再生表示映像であることを認識しており、この再生表示映像上でリンク操作がなされたとき、ＣＰＵ２０９は、前記接続処理の開始に先立って、図３に示すごとく、「接続しますか」及び「ＹＥＳ  ＮＯ」のボタンから成る接続実行確認表示、及び再生番組の記録日時（ＯＮエア日時）の表示を行う。ＣＰＵ２０９は、ユーザによるボタン操作を監視し、「ＹＥＳ」のボタン操作を検出したときに、前記リンク情報に基づくサーバ接続処理を開始することになる。
【００２４】
また、このようなメッセージ表示・確認処理ではなく、メッセージ表示処理のみを行うようにしてもよい。すなわち、再生番組映像上でリンク操作がなされたときにＣＰＵ２０９は接続処理を開始すると共に、例えば、「接続できない場合があります」といったメッセージや、「接続が行えたとしても得られる情報がＯＮエア時点の情報と異なる場合があります」といったメッセージを表示し前記リンク情報に基づくサーバ接続処理を実行するようにしてもよい。
【００２５】
また、図４に示しているように、事後的にメッセージを表示する処理を行うようにしてもよい。すなわち、再生番組映像上でリンク操作がなされたときにＣＰＵ２０９は接続処理を開始し、接続が確立できなかったときに、そのことを示す「接続エラー」の表示と共に、現在視聴番組が録画番組であることをユーザに認識させ得るメッセージ（図の例では再生番組の記録日時（ＯＮエア日時）を表示したメッセージ）を表示する処理を行うようにしてもよい。
【００２６】
なお、上記の説明においては、携帯型受信端末を示したが、据置型（固定型）受信装置でＨＤＤレコーダなどに受信番組を記録する構成においても本願発明を適用できるものである。
【図面の簡単な説明】
【００２７】
【図１】この発明の実施形態の携帯型受信端末の外観を示した斜視図である。
【図２】この発明の実施形態の携帯型受信端末を示したブロック図である。
【図３】メッセージ表示画面例を示した説明図である。
【図４】メッセージ表示画面例を示した説明図である。
【図５】同図（ａ）（ｂ）（ｃ）は、データ放送によるリンク接続の処理過程での画面表示例を示した説明図である。
【符号の説明】
【００２８】
２      携帯型受信端末
２０２  液晶表示パネル
２０４  ＭＰＥＧ４ビデオデコーダ
２０９  ＣＰＵ
３      メモリカード
４      ＰＨＳデータカード
【図１】
2005123933.tif 000003
【図２】
2005123933.tif 000004
【図３】
2005123933.tif 000005
【図４】
2005123933.tif 000006
【図５】
2005123933.tif 000007